(57)【要約】【課題】粘性系地盤の改良に当たり土性を考慮し、水平圧蜜効果を発揮するための径の大きい改良体の挿入方法に課題があった又堆積物の圧縮においては地盤の硬さ周辺環境問題、周辺地形、公害問題等に対する課題があった【解決手段】径の大きい改良体の挿入については、円錐形立方体及び多角錐形立方体に鋸の刃付き螺旋帯状突起を一定幅で溶接取り付け、回転オーガ機械装置にて鋸の刃状ぎざぎざにて、地盤並びに堆積物中の障害物を切り砕きつつ螺旋形状ネジ込み手段により、容易に円錐形、多角形立方体を挿入出来た【選択図】図１
2005068978.tif 000002
【特許請求の範囲】
【請求項１】
貫入エネルギー装置である回転オーガ機械装置を上部に取り付けた、外管付円錐形立方体及び多角錐形立方体に一定幅の鋸刃付き螺旋帯状突起を一定間隔をおいて巻き付け溶接し、貫入し易くし円錐形立方体及び多角錐形立方体を間隙の大きい地盤又は堆積物に挿入し地盤改良と圧縮を早期に施工する工法及び装置特許
【請求項２】
円錐形立方体の径は０．５ｍ−３ｍとし、円錐立方体部分の長さは１ｍから６ｍ範囲とする、多角錐形立方体についても同じ構造
【請求項３】
円錐形立方体及び多角錐形立方体に巻き付ける一定幅の鋸刃付き螺旋帯状突起長さは０．０３ｍから０．７ｍ範囲とし、鋸刃付き螺旋帯状突起間隔は０．０３ｍから０．８ｍ範囲とする
【請求項４】
円錐形立方体及び多角錐形立方体は回転オーガ機械装置と直接取り付ける構造と円錐形立方体に円柱を所定深度長さ迄繋いで回転オーガ機械装置と連結した構造装置、多角錐形立方体についても多角柱を所定長さ迄つなぎ、回転オーガ機械と連結する構造装置
【請求項５】
鋸刃付き螺旋帯状突起の溶接部の反対側は鋸刃として土中及び堆積物の絡み付きを切削出来る硬質鋼刃とする刃型はぎざぎざの鋸刃として螺旋帯状突起長さの１／２から１／３とする
【請求項６】
鋸刃付き螺旋帯状突起を取り付けた外管付円錐形立方体及び多角錐形立方体を地盤又は堆積物に挿入することにより地盤又は堆積物内には空洞孔が生ずる、その空洞孔に現地の土砂、堆積物を投入し地盤の安定を計る場合と処分場等の堆積物の減量を計り処分場の容積拡大を行う工法及び装置特許
【請求項７】
外管は地盤及び堆積物の崩壊、くずれを防止する目的の物で外管上部にはリング状つばを付け、ずれ落ち防止とし、回転オーガ装置と円錐形、多角錐形立方体柱を引き上げ時には、リング状つば上部に取り付けた、ヒンジ金具の取り外しにより外管を取り外し出来る構造とし、外管内に土砂、骨材、堆積物等を投入後外管を引き抜き崩れ防止と投入材の充填を確保する構造装置
【請求項８】
荷重を大きく加える事の出来ない地盤施工の場合は反力方式挿入とする
【発明の詳細な説明】
【発明の詳細な説明】
【発明の属する分野】
【０００１】本発明は間隙の大きい地盤又は堆積物を早期に圧縮し地盤の安定及び堆積物の圧縮により、安定並びに容積拡大を計る改良工法で地盤改良分野である
【背景技術】
【０００２】間隙の大きい地盤の改良として粘性系の場合、静的水平圧密方法が効果的であったが、径が大きく、深度が深い場合の挿入方法には課題があった、又堆積物の圧縮工法にもダイレクトパー方式、ユンボ走行締固、ブルトーザーによる踏み固等があるが、締め固、効果が小さく又環境問題の騒音、塵埃、振動を避けなければならない場面に直面した
【発明が解決しようとする課題】
【０００３】粘性系地盤の改良に当たり土性を考慮し、水平圧密効果を発揮出来る径の大きい改良体の挿入方法に大きい課題があったがこの課題を早期に安全且経済的にも効果のある方法を考案した又堆積物圧縮用として従来迄の工法による周辺状況及び堆積物の種類、又地盤の硬さ等を加味し、振動、騒音、塵埃、の無い工法で早期に圧縮又は圧密が出来尚経済性のある工法が課題であった、本工法は上記を解決すべく考案した
【課題を解決するための手段】
【０００４】間隙の大きい地盤の改良方法として、間隙を水平方向から大きい径の体積を持つ改良体で水平圧密を計る事の出来る方法で尚、施工し易く土性に影響を与えぬ手段として大きい径のネジ込み式構造装置とした地盤の改良方法兼、堆積物の圧縮工法として在来までの工法を検討し周辺環境、周辺地形、地盤内の堆積物の種類及び硬さを加味し円錐形立体柱及び多角錐形立方体柱の回転方式挿入として、騒音、塵埃振動の無い早期で且経済的な大きい径の体積を持つ立方体の、ネジ込み方式による手段とした
【発明の実施形態】
【０００５】間隙を考慮した立方体柱を回転ネジ込み方式にて強制挿入する形態で円錐形、多角錐形立方体柱に巻き付けた鋸刃付き螺旋帯状突起にて挿入層の障害物を切り砕きつつ円錐形、多角錐形立方体を容易に挿入出来る形態とした、
【発明の効果】
【０００６】本発明により周辺環境問題、堆積物法面、周辺地形法面安定、が計れ又貫入し易い構造のため能率良く経済的効果がある
【図面の簡単な説明】
【０００７】
【図１】鋸刃付き螺旋帯状突起を巻き付けた円錐形、多角錐形立方体柱にオーガ機械装置を取り付けた図
【符号の説明】
【０００８】１  オーガ回転機械装置
２  外管
３  鋸の刃付き螺旋帯状突起
４  円錐形、多角錐形立方体
【図１】
2005068978.tif 000003
【手続補正書】
【提出日】平成15年9月22日(2003.9.22)
【手続補正１】
【補正対象書類名】特許請求の範囲
【補正対象項目名】請求項９
【補正方法】追加
【補正の内容】
【請求項９】
外管上部には投入材を入れ易くする為のホッパーを取り付けた装置で外管が回転するとき、ホッパーは回転しないよう切り離した構造とし外管は一定方向に回転を止めた場合、ホッパーから投入された、土砂固化材混合土、砂、堆積物、等が外管の側面一部開口から外管内に落し込みの出来る構造装置
【手続補正２】
【補正対象書類名】特許請求の範囲
【補正対象項目名】請求項１０
【補正方法】追加
【補正の内容】
【請求項１０】
外管上部は、回転オーガ機械を上部に取り付けた、円錐形立方体及び多角錐形立方体上部蓋部に取り付けた下向き突起が外管上部に取り付けた２個所の突起の間に入る構造とし、円錐形、多角錐形立方体が回転時、正、逆共に同時回転することの出来る構造装置
【手続補正３】
【補正対象書類名】特許請求の範囲
【補正対象項目名】請求項１１
【補正方法】追加
【補正の内容】
【請求項１１】
外管下部内側は下部先端部から上部へ１．０ｍ−２ｍの部分には鋸刃付き螺旋帯状突起が入る、螺旋凹部を取り付けて土中、堆積物の侵入を防ぐと共に錐形立方体のふれ止めの役割とした構造と土、砂、堆積物の種類によっては凹部を取り付けない場合の構造
【手続補正４】
【補正対象書類名】特許請求の範囲
【補正対象項目名】請求項１２
【補正方法】追加
【補正の内容】
【請求項１２】
円錐形、多角錐形立方体の芯部内管は注入管を包含した構造とし円錐形、多角錐形先端から固化材ミルクとエアーを噴出出来る構造とし円錐形、多角錐形立方体回転停止時、取り外し及びはめ込みによりその操作が出来る構造装置、
【手続補正５】
【補正対象書類名】明細書
【補正対象項目名】０００８
【補正方法】変更
【補正の内容】
【０００８】１  オーガ回転機械装置
２  外管
３  鋸の刃付き螺旋帯状突起
４  円錐形、多角錐形立方体
５  ホッパー
６  ふれ止め
【手続補正６】
【補正対象書類名】図面
【補正対象項目名】図１
【補正方法】変更
【補正の内容】
【図１】
2005068978.tif 000004
【手続補正書】
【提出日】平成16年6月7日(2004.6.7)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
貫入エネルギー装置である回転オーガ機械装置を上部に取り付けた、外管付円錐形立方体及び多角錐形立方体に一定幅の鋸刃付き螺旋帯状突起を一定間隔をおいて巻き付け溶接し、貫入し易くし円錐形立方体及び多角錐形立方体を間隙の大きい地盤又は堆積物に挿入し地盤改良と圧縮を早期に施工する工法及び装置特許
【請求項２】
円錐形立方体の径は０．５ｍ−３ｍとし、円錐立方体部分の長さは１ｍ−６ｍ範囲とする、多角錐形立方体についても同じ構造
【請求項３】
円錐形立方体及び多角錐形立方体に巻き付ける一定幅の鋸刃付螺旋帯状突起長さは０．０３ｍから０．７ｍ範囲とし、鋸刃付螺旋帯状突起間隔は０．０３ｍから０．８ｍ範囲とする
【請求項４】
円錐形立方体及び多角錐形立方体は回転オーガ機械装置と直接取り付ける構造と円錐形立方体に円柱を所定深度長さ迄繋いで回転オーガ機械装置と連結した構造装置、多角錐形立方体についても多角柱を所定長さ迄つなぎ、回転オーガ機械と連結する構造装置
【請求項５】
鋸刃付螺旋帯状突起の反対側は鋸刃として土中及び堆積物の絡み付きを切削出来る硬質鋼刃として螺旋帯状突起長さの１／２から１／３とする
【請求項６】
〔鋸刃付き螺旋帯状突起を取り付けた外管付円錐形立方体及び多角錐形立方体を地盤又は堆積物に挿入することにより地盤又は堆積物内には空洞孔が生ずる、その空洞孔に現地の土砂、堆積物を投入し地盤の安定を計る場合と処分場等の堆積物の減量を計り、処分場の容積拡大を行う工法及び装置特許
【請求項７】
外管は地盤及び堆積物の崩壊、くずれを防止する目的のもので外管上部にはリング状つばを付け、ずれ落ち防止と、回転オーガ装置と円錐形、多角錐形立方体柱を引き揚げ時には、リング状つば上部に取り付けた。ヒンジ金具の取り外しにより外管を取り外し出来る構造とし、外管内に土砂、骨材、堆積物等を投入後外管を引き抜き崩れ防止と投入材の充填を確保する構造装置
【請求項８】
荷重を大きく加えることの出来ない地盤施工の場合は反力方式挿入とする
【請求項９】
外管上部には投入材を入れ易くする為のホッパーを取り付けた装置で外管が回転為るときホッパーは回転しないよう切り離した構造とし、外管は一定方向に回転を止めた場合、ホッパーから投入された、土砂固化材混合土、砂、堆積物、等が外管の側面の一部開口から外管内に落とし込みの出来る構造装置
【請求項１０】
外管上部は、回転オーガ機械を上部に取り付けた、円錐形立方体及び多角錐形立方体上部蓋部に取り付けた下向き突起が上部に取り付けた２個所の突起の間に入る構造とし、円錐形、多角錐形立方体が回転時、正、逆共に同時回転することの出来る構造装置
【請求項１１】
外管下部内側は下部先端部から上部へ１ｍ−２ｍの部分には鋸刃付螺旋帯状突起が入る、螺旋凹部をとりつけて土中、堆積物の侵入を防ぐと共に錐形立方体のふれ止めの役割とした構造と土、砂、堆積物の種類によっては凹部を取り付けない場合の構造
【請求項１２】
円錐形、多角錐形立方体の芯部内管は注入管を包含した構造とし円錐形、多角錐形立方体回転停止時、取り外し及びはめ込みによりその操作が出来る構造装置
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】
【手続補正４】
【補正対象書類名】手続補正書
【補正対象項目名】手続補正４
【補正方法】削除
【補正の内容】
【手続補正５】
【補正対象書類名】明細書
【補正対象項目名】０００８
【補正方法】変更
【補正の内容】
【０００８】１  オーガ回転機械装置
２  外管
３  鋸の刃付螺旋帯状突起
４  円錐形、多角錐形立方体
５  ホッパー
６  ふれ止め
【手続補正６】
【補正対象書類名】図面
【補正対象項目名】図１
【補正方法】変更
【補正の内容】
【図１】
2005068978.tif 000005